(57)【要約】      （修正有）【課題】照明範囲が広い両面式ＬＥＤ照明装置を提供する。【解決手段】両面式ＬＥＤ照明装置は、ベース、二つのＬＥＤ発光モジュール及び二つの透光板を包含する。該ベース１０に第１ヒートシンク１６、第２ヒートシンク１８、及び該第１ヒートシンク１６と該第２ヒートシンク１８を連接する連接手段が設けられ、該第１ヒートシンクは第１収容室２２を具え、該第２ヒートシンクの該第１収容室の反対側に対応する位置に第２収容室２８が設けられる。該二つのＬＥＤ発光モジュール１２は、それぞれ第１ヒートシンクの第１収容室内と該第２ヒートシンクの第２収容室内に設置され、二つの透光板１４は、それぞれ第１ヒートシンクの第１収容室上と第２ヒートシンクの第２収容室上に固定され、該ＬＥＤ発光モジュールを被覆する。【選択図】図２
0003162351.tif 000002
【実用新案登録請求の範囲】
【請求項１】
ベースであって、第１ヒートシンク、第２ヒートシンク、及び該第１ヒートシンクと該第２ヒートシンクを連接する連接手段が設けられ、該第１ヒートシンクは第１収容室を具え、該第２ヒートシンクに該第１収容室と背向するように、第２収容室が設けられた、上記ベースと、
少なくとも二つのＬＥＤ発光モジュールであって、それぞれ該第１ヒートシンクの第１収容室と該第２ヒートシンクの第２収容室内に設置され、且つＬＥＤ発光モジュールに回路板と、該回路板上に位置する複数のＬＥＤが設けられた、上記少なくとも二つのＬＥＤ発光モジュールと、
二つの透光板であって、それはそれぞれ該第１ヒートシンクの第１収容室及び該第２ヒートシンクの第２収容室上に固定され、該ＬＥＤ発光モジュールを被覆する、上記二つの透光板と、
を包含したことを特徴とする、両面式ＬＥＤ照明装置。
【請求項２】
請求項１記載のＬＥＤ発光モジュールにおいて、該第１ヒートシンクの第１収容室内に二つの第１凸塊が設けられることで、該第１収容室に第１凹溝が形成され、一つのＬＥＤ発光モジュールが該第１凹溝に設置されることを特徴とする、両面式ＬＥＤ照明装置。
【請求項３】
請求項１記載のＬＥＤ発光モジュールにおいて、該第２ヒートシンクの第２収容室内に二つの第２凸塊が設けられることで、該第２収容室に第２凹溝が形成され、一つのＬＥＤ発光モジュールが該第２凹溝に設置されることを特徴とする、両面式ＬＥＤ照明装置。
【請求項４】
請求項１記載のＬＥＤ発光モジュールにおいて、反射板をさらに包含し、該反射板の該ＬＥＤ発光モジュールの該回路板のＬＥＤに対応する位置に、貫通孔が形成され、該反射板が該回路板上に設置されて、該ＬＥＤが該貫通孔より露出することを特徴とする、両面式ＬＥＤ照明装置。
【請求項５】
請求項１記載のＬＥＤ発光モジュールにおいて、該透光板が略Ｕ形を呈して上板と該上板両側の側板を具え、この二つの側板が該ベースの第１収容室内及び第２収容室内に固定されることを特徴とする、両面式ＬＥＤ照明装置。
【請求項６】
請求項１記載のＬＥＤ発光モジュールにおいて、該第１ヒートシンクの第１収容室及び第２ヒートシンクの第２収容室内にそれぞれ第１溝と第２溝が形成され、該二つの透光板がそれぞれ該第１溝と第２溝内に嵌め止めされることを特徴とする、両面式ＬＥＤ照明装置。
【請求項７】
請求項５記載のＬＥＤ発光モジュールにおいて、各該透光板の両側板の底部にスライドレールが形成され、該二つの透光板が該スライドレールにより、該第１ヒートシンクの第１溝及び該第２ヒートシンクの第２溝内に嵌め止めされることを特徴とする、両面式ＬＥＤ照明装置。
【考案の詳細な説明】
【技術分野】
【０００１】
本考案は一種の両面式ＬＥＤ照明装置に係り、特に両面より光線を射出でき、その照明範囲が広いものに関する。
【背景技術】
【０００２】
日常生活において、照明設備は不可欠の生活用品であり、人々の生活方式を変えてきた。現在、一般家庭或いは公共の屋内場所において、各種の照明設備、例えば、蛍光灯、照明灯、テーブルランプ、ペンダントライト、ネオンランプ等が使用されており、暗さのもたらす不便を照明設備により改善している。
【０００３】
異なる照明設備に関しては、その応用の用途に差異があり、例えば、一般の蛍光灯、照明灯、テーブルランプ等は、一般照明として使用され、また、特殊な用途の照明設備例えばナイトランプは人々が睡眠時に照明を提供し、その発光効率は比較的低く、補助用途のみである。
【０００４】
伝統的な灯管或いは電球は温度上昇が速く消費電力が大きいという欠点を有し、且つ照明器具を廃棄後に環境保護の問題をもたらし、このため、近年、ＬＥＤを発光源とする技術が発展した。
【０００５】
ＬＥＤは消費電力が低く、寿命が長く、ランプのウォームアップ時間が必要なく反応速度が速いという長所を有するものの、一般にＬＥＤはその輝度が伝統的なバルブ或いは灯管よりも低く、このため照明光源としてはハイパワーのＬＥＤが採用される。ハイパワーのＬＥＤはより高い輝度を提供できるが、続けて使用すると温度上昇により発光の効率に影響が生じる。このため如何にＬＥＤ照明に良好な照明効果を具備させるかが、その放熱効果をアップする以外に、業界の技術開発の重要な課題となっている。
【考案の概要】
【考案が解決しようとする課題】
【０００６】
本考案の主要な目的は、照明範囲を増加して照明輝度アップの目的を達成できる両面式ＬＥＤ照明装置を提供することにある。
【０００７】
本考案の別の目的は、良好な放熱効果を具備することにより、使用寿命を延長し、その光減衰を減らし、照明輝度をアップするＬＥＤ照明装置を提供することにある。
【課題を解決するための手段】
【０００８】
上述の目的を達成するため、本考案は両面式ＬＥＤ照明装置を提供し、それは、ベース、二つのＬＥＤ発光モジュール及び二つの透光板を包含する。該ベースに第１ヒートシンク、第２ヒートシンク、及び該第１ヒートシンクと該第２ヒートシンクを連接する連接手段が設けられ、該第１ヒートシンクは第１収容室を具え、該第２ヒートシンクの該第１収容室の反対側に対応する位置に第２収容室が設けられる。該二つのＬＥＤ発光モジュールは、それぞれ第１ヒートシンクの第１収容室内と該第２ヒートシンクの第２収容室内に設置され、二つの透光板は、それぞれ第１ヒートシンクの第１収容室上と第２ヒートシンクの第２収容室上に固定され、該ＬＥＤ発光モジュールを被覆する。
【考案の効果】
【０００９】
ゆえに、該ベースの互いに背向する２面それぞれに、ＬＥＤ発光モジュールを設置するとき、有効に照明範囲を増加でき、その照明輝度をアップできる。
【００１０】
本考案のその他の目的、長所及び特色は、以下の好ましい実施例により詳細に説明され並びに図面が参照されることでさらに深い理解が得られるようにする。
【図面の簡単な説明】
【００１１】
【図１】本考案の両面式ＬＥＤ照明装置の立体分解図である。
【図２】本考案の両面式ＬＥＤ照明装置の組み合わせ断面図である。
【図３】本考案の両面式ＬＥＤ照明装置の実施表示図である。
【考案を実施するための形態】
【００１２】
以下に図面と実施例を組み合わせて本考案の実施方式を詳細に説明し、これにより本考案がいかなる技術手段を応用して技術問題を解決し並びに技術効果を達成するかの実現過程について十分な理解が得られるようにし、並びにそれに基づいて実施できるようにする。
【００１３】
図１は本考案の両面式ＬＥＤ照明装置の立体分解図を示し、それは、ベース１０、二つのＬＥＤ発光モジュール１２、二つの反射板１３及び透光板１４を包含する。
【００１４】
該ベース１０は一体加圧加工されてなる長尺状を呈し、それに第１ヒートシンク１６、第２ヒートシンク１８、及びこれら第１ヒートシンク１６と第２ヒートシンク１８を連接する連接手段２０が設けられ、該第１ヒートシンク１６は第１収容室２２と該第１収容室２２内に設けられた二つの第１凸塊２４を具え、これにより第１収容室２２に第１凹溝２６が形成されている。第２ヒートシンク１８は、該第１収容室２２に対応し且つそれと背向する第２収容室２８を具え、該第２収容室２８内に二つの第２凸塊３０が設けられ、これにより第２収容室２８に第２凹溝３２が形成されている。別に、第１ヒートシンク１６は第１収容室２２の両側位置に、コ形状を呈する第１放熱フィンセット３１が設けられ、第２ヒートシンク１８の第２収容室２８の両側位置に、コ形状を呈する第２放熱フィンセット３４が設けられている。第１ヒートシンク１６の第１収容室２２の両側にそれぞれ第１溝３３が形成され、第２ヒートシンク１８の第２収容室２８の両側にそれぞれ第２溝３５が形成されている。
【００１５】
二つのＬＥＤ発光モジュール１２は長尺状を呈し、それはそれぞれ第１ヒートシンク１６の第１収容室２２の第１凹溝２６と第２ヒートシンク１８の第２収容室２８の第２凹溝３２内に設置され、各ＬＥＤ発光モジュール１２に回路板３６と該回路板３６上に位置する複数のＬＥＤ３８が設けられている。
【００１６】
二つの反射板１３はそれぞれＬＥＤ発光モジュール１２の回路板３６上に設置され、それに複数のＬＥＤ３８に対応する貫通孔４０が設けられ、これによりＬＥＤ３８が該貫通孔４０より露出する。
【００１７】
二つの透光板１４はそれぞれ第１ヒートシンク１６の第１収容室２２及び第２ヒートシンク１８の第２収容室２８上に固定され、該ＬＥＤ発光モジュール１２を被覆する。各透光板１４はほぼＵ形状を呈し、それは上板４２と該上板４２両側に位置する側板４４を具え、二つの側板４４の底部にスライドレール４６が設けられ、それはベース１０の第１収容室２２の第１溝３３と第２収容室２８の第２溝３５内に固定され、これにより二つの透光板１４がそれぞれベース１０の第１収容室２２と第２収容室２８上を被覆し、こうして二つのＬＥＤ発光モジュール１２が被覆される。
【００１８】
図２は図１の組み合わせ立体図であり、そのうち、反射板１３で被覆された二つのＬＥＤ発光モジュール１２はベース１０の第１収容室２２の第１凹溝２６及び第２収容室２８の第２凹溝３２内に固定され、さらに二つの透光板１４がそのスライドレール４６で第１収容室２２の第１溝３３と第２収容室２８の第２溝３５内に設置されることで、透光板１４がベース１０に固定され、並びにＬＥＤ発光モジュール１２を被覆し、これにより、ＬＥＤ発光モジュール１２の光線が透光板１４を通り射出される。
【００１９】
図３を参照されたい。ＬＥＤ発光モジュール１２の発射する光線の一部は、透光板１４を通り射出され、一部は透光板１４により反射されて反射板１３に至り、さらに反射板１３により反射されて、透光板１４を通り射出される。こうして、照明装置の照明輝度がアップされ、且つＬＥＤ発光モジュール１２が直接長尺状のベース１０に設置されることで、その熱エネルギーが直接長尺状のベース１０を介して排出され、ＬＥＤ発光モジュール１２の使用寿命を高められるのみならず、有効に光線の減衰を減らし、その照明輝度をアップできる。
【００２０】
本考案の開示する実施方式は上述のとおりであるが、記載された内容は直接本考案の権利請求範囲を限定するためのものではない。本考案の属する技術領域中における通常の知識を有する者であれば、本考案に記載の精神と範囲より離脱しない前提の下で実施の形式上及び細部上、幾ばくかの変更を行うことができる。本考案の権利請求範囲は実用新案登録請求の範囲による規定に準じる。
【符号の説明】
【００２１】
１０  ベース                    ３１  第１放熱フィンセット
１２  ＬＥＤ発光モジュール      ３４  第２放熱フィンセット
１３  反射板                    ３２  第２凹溝
１４  透光板                    ３３  第１溝
１６  第１ヒートシンク          ３５  第２溝
１８  第２ヒートシンク          ３６  回路板
２０  連接手段                  ３８  ＬＥＤ
２２  第１収容室                ４０  貫通孔
２４  第１凸塊                  ４２  上板
２６  第１凹溝                  ４４  側板
２８  第２収容室                ４６  スライドレール
３０  第２凸塊
【図１】
0003162351.tif 000003
【図２】
0003162351.tif 000004
【図３】
0003162351.tif 000005
【手続補正書】
【提出日】平成22年4月8日(2010.4.8)
【手続補正１】
【補正対象書類名】実用新案登録請求の範囲
【補正対象項目名】全文
【補正方法】変更
【補正の内容】
【実用新案登録請求の範囲】
【請求項１】
ベースであって、第１ヒートシンク、第２ヒートシンク、及び該第１ヒートシンクと該第２ヒートシンクを連接する連接手段が設けられ、該第１ヒートシンクは第１収容室を具え、該第２ヒートシンクに該第１収容室と背向するように、第２収容室が設けられた、上記ベースと、
少なくとも二つのＬＥＤ発光モジュールであって、それぞれ該第１ヒートシンクの第１収容室と該第２ヒートシンクの第２収容室内に設置され、且つＬＥＤ発光モジュールに回路板と、該回路板上に位置する複数のＬＥＤが設けられた、上記少なくとも二つのＬＥＤ発光モジュールと、
二つの透光板であって、それはそれぞれ該第１ヒートシンクの第１収容室及び該第２ヒートシンクの第２収容室上に固定され、該ＬＥＤ発光モジュールを被覆する、上記二つの透光板と、
を包含したことを特徴とする両面式ＬＥＤ照明装置。
【請求項２】
請求項１記載の両面式ＬＥＤ発光モジュールにおいて、該第１ヒートシンクの第１収容室内に二つの第１凸塊が設けられることで、該第１収容室に第１凹溝が形成され、一つのＬＥＤ発光モジュールが該第１凹溝に設置されることを特徴とする両面式ＬＥＤ照明装置。
【請求項３】
請求項１記載の両面式ＬＥＤ発光モジュールにおいて、該第２ヒートシンクの第２収容室内に二つの第２凸塊が設けられることで、該第２収容室に第２凹溝が形成され、一つのＬＥＤ発光モジュールが該第２凹溝に設置されることを特徴とする両面式ＬＥＤ照明装置。
【請求項４】
請求項１記載の両面式ＬＥＤ発光モジュールにおいて、反射板をさらに包含し、該反射板の該ＬＥＤ発光モジュールの該回路板のＬＥＤに対応する位置に、貫通孔が形成され、該反射板が該回路板上に設置されて、該ＬＥＤが該貫通孔より露出することを特徴とする両面式ＬＥＤ照明装置。
【請求項５】
請求項１記載の両面式ＬＥＤ発光モジュールにおいて、該透光板が略Ｕ形を呈して上板と該上板両側の側板を具え、この二つの側板が該ベースの第１収容室内及び第２収容室内に固定されることを特徴とする両面式ＬＥＤ照明装置。
【請求項６】
請求項１記載の両面式ＬＥＤ発光モジュールにおいて、該第１ヒートシンクの第１収容室及び第２ヒートシンクの第２収容室内にそれぞれ第１溝と第２溝が形成され、該二つの透光板がそれぞれ該第１溝と第２溝内に嵌め止めされることを特徴とする両面式ＬＥＤ照明装置。
【請求項７】
請求項５記載の両面式ＬＥＤ発光モジュールにおいて、各該透光板の両側板の底部にスライドレールが形成され、該二つの透光板が該スライドレールにより、該第１ヒートシンクの第１溝及び該第２ヒートシンクの第２溝内に嵌め止めされることを特徴とする両面式ＬＥＤ照明装置。
【手続補正書】
【提出日】平成22年5月20日(2010.5.20)
【手続補正１】
【補正対象書類名】実用新案登録請求の範囲
【補正対象項目名】全文
【補正方法】変更
【補正の内容】
【実用新案登録請求の範囲】
【請求項１】
ベースであって、第１ヒートシンク、第２ヒートシンク、及び該第１ヒートシンクと該第２ヒートシンクを連接する連接手段が設けられ、該第１ヒートシンクは第１収容室を具え、該第２ヒートシンクに該第１収容室と背向するように、第２収容室が設けられた、上記ベースと、
少なくとも二つのＬＥＤ発光モジュールであって、それぞれ該第１ヒートシンクの第１収容室と該第２ヒートシンクの第２収容室内に設置され、且つＬＥＤ発光モジュールに回路板と、該回路板上に位置する複数のＬＥＤが設けられた、上記少なくとも二つのＬＥＤ発光モジュールと、
二つの透光板であって、それはそれぞれ該第１ヒートシンクの第１収容室及び該第２ヒートシンクの第２収容室上に固定され、該ＬＥＤ発光モジュールを被覆する、上記二つの透光板と、
を包含したことを特徴とする両面式ＬＥＤ照明装置。
【請求項２】
請求項１記載の両面式ＬＥＤ照明装置において、該第１ヒートシンクの第１収容室内に二つの第１凸塊が設けられることで、該第１収容室に第１凹溝が形成され、一つのＬＥＤ発光モジュールが該第１凹溝に設置されることを特徴とする両面式ＬＥＤ照明装置。
【請求項３】
請求項１記載の両面式ＬＥＤ照明装置において、該第２ヒートシンクの第２収容室内に二つの第２凸塊が設けられることで、該第２収容室に第２凹溝が形成され、一つのＬＥＤ発光モジュールが該第２凹溝に設置されることを特徴とする両面式ＬＥＤ照明装置。
【請求項４】
請求項１記載の両面式ＬＥＤ照明装置において、反射板をさらに包含し、該反射板の該ＬＥＤ発光モジュールの該回路板のＬＥＤに対応する位置に、貫通孔が形成され、該反射板が該回路板上に設置されて、該ＬＥＤが該貫通孔より露出することを特徴とする両面式ＬＥＤ照明装置。
【請求項５】
請求項１記載の両面式ＬＥＤ照明装置において、該透光板が略Ｕ形を呈して上板と該上板両側の側板を具え、この二つの側板が該ベースの第１収容室内及び第２収容室内に固定されることを特徴とする両面式ＬＥＤ照明装置。
【請求項６】
請求項１記載の両面式ＬＥＤ照明装置において、該第１ヒートシンクの第１収容室及び第２ヒートシンクの第２収容室内にそれぞれ第１溝と第２溝が形成され、該二つの透光板がそれぞれ該第１溝と第２溝内に嵌め止めされることを特徴とする両面式ＬＥＤ照明装置。
【請求項７】
請求項５記載の両面式ＬＥＤ照明装置において、各該透光板の両側板の底部にスライドレールが形成され、該二つの透光板が該スライドレールにより、該第１ヒートシンクの第１溝及び該第２ヒートシンクの第２溝内に嵌め止めされることを特徴とする両面式ＬＥＤ照明装置。